(57)【要約】      （修正有）【課題】見る角度に影響されずに、光の反射で展示しているポスター等が見えづらくなることを防止できるとともに、展示物が劣化することを防止可能な展示ボードを提供する。【解決手段】ボード本体と、ボード本体の表面側に剥離可能に貼着されたボードフィルム３を備え、ボードフィルム３の表面又はボード本体とボードフィルム３の間にポスター、カタログ等の掲示物を係止することで各種広告等を展示可能とした展示ボードであって、ボードフィルム３は、ＵＶカット剤を配合しながら製造することでＵＶカット機能を備えたＵＶカットフィルム５と、ＵＶカットフィルム５の表面に形成した低反射層６を具備したボードフィルム本体４と、ボードフィルム本体４の表面に光触媒を含んだ光触媒コーティング材を備えることで形成された光触媒層７を具備した。【選択図】図３
0003181844.tif 000002
【実用新案登録請求の範囲】
【請求項１】
ボード本体（２）と、
該ボード本体（２）の表面側に剥離可能に貼着されたボードフィルム（３）と、を備え、前記ボードフィルム（３）の表面、又は、前記ボード本体（２）と前記ボードフィルム（３）の間にポスター、カタログ等の掲示物を係止することで各種広告等を展示可能とした展示ボードであって、
前記ボードフィルム（３）は、
ＵＶカット剤を配合しながら製造することでＵＶカット機能を備えたＵＶカットフィルム（５）と、該ＵＶカットフィルム（５）の表面に形成した、低反射機能を発揮可能な低反射層（６）と、を具備したボードフィルム本体（４）と、
該ボードフィルム本体（４）の表面に光触媒を含んだ光触媒コーティング材を備えることで形成された光触媒層（７）と、を具備したことを特徴とする展示ボード。
【請求項２】
前記低反射層（６）は、前記ＵＶカットフィルム（５）の表面に凹凸処理を施すことで形成されたものであることを特徴とする請求項１に記載の展示ボード。
【考案の詳細な説明】
【技術分野】
【０００１】
本考案は、ボード本体と、このボード本体に剥離可能に貼着されたボードフィルムとで構成され、各種広告等を展示するために用いられる展示ボードに係り、より詳しくは、ＵＶカット機能と低反射機能の双方の機能を有するフィルムに光触媒層を形成したボードフィルムを用いた展示ボードに関する。
【背景技術】
【０００２】
従来から、商品広告等の手法の一つとして展示ボードが用いられており、この展示ボードを用いることにより、自社商品の宣伝等を可能としている。即ち、この展示ボードは、一般的に、発泡スチロール等により形成される板状のボード本体から構成されており、これを用いて広告等を行なう場合には、自社商品のカタログ、写真等をボード本体に貼りつけ、その後、この展示ボードを、例えば展示会場における自社ブースの目立つ箇所等に設置して、これにより自社商品、あるいは自社の広告宣伝を行なうことを可能にしている。
【０００３】
また、この展示ボードはその他、各種の催し物等においても、各種の広告を目立つ箇所に展示するために、たとえば、各種の催し物会場に出展している出店が価格を表示したり、出展商品の写真を展示したりするためにも用いられており、その用途は多岐にわたっている。
【０００４】
ところで、一般的に展示ボードでは、前述したように、ボード本体にポスター、カタログ等を貼り付けることにより使用されるが、ボード本体に透明な樹脂フィルム等からなるボードフィルムを剥離可能に備えて、ボード本体とボードフィルムとの間にポスター、カタログ等を挟持して使用可能とする場合もある。
【０００５】
しかしながら、樹脂フィルム等をボードフィルムとして用いた場合には、このボードフィルムが蛍光灯の光や、自然光が反射してしまうために、見る角度によっては、ポスター、カタログ等が見えづらいという問題点が指摘されている。
【０００６】
この点、本考案者は過去において、展示ボードを湾曲させて、これにより当たった光の反射を防止する額縁を提案しており、この方法を展示ボードに応用することも可能だが、ボードを湾曲させた場合には当然、ポスター、カタログ等も変形してしまうために、見えづらいという問題点が考えられる。
【０００７】
そこで、このような問題点を解決するために、本考案者は更に、低反射機能を発揮可能なフィルムをボードフィルムとして用いることにより、ボードを変形することなく、展示しているポスター、カタログ等が見えづらくなることを防止可能とした展示ボードを提案した。
【先行技術文献】
【特許文献】
【０００８】
【特許文献１】実用新案登録第３０９６４４３号公報
【特許文献２】実用新案登録第３１６０３７６号公報
【考案の概要】
【考案が解決しようとする課題】
【０００９】
しかしながら、前述したように、一般的に展示ボードにおけるボードフィルムは透明な樹脂フィルムで形成されているため、低反射機能を発揮可能なフィルムを用いることで蛍光灯の光や自然光等が反射して展示しているポスター、カタログ等が見えづらくなってしまうことを防止した場合でも、室内に浮遊している汚れ等によってボードフィルムが汚れてしまい、展示しているカタログ、ポスター等が見えづらくなるとともに、展示ボード全体の見栄えも悪くなってしまうという問題点が指摘できる。
【００１０】
また展示ボードにポスター、カタログ等を展示している場合において、長期間経過した場合は、展示しているポスター、カタログ等が紫外線によって劣化してしまい、これによっても全体の見栄えが悪くなってしまう問題点が指摘できる。
【００１１】
そこで、本考案は、見る角度に影響されずに展示しているポスター、カタログ等を正確かつ明確に見ることが可能であるとともに、汚れや紫外線の影響で展示しているポスター、カタログ等が見えづらくなったり劣化してしまうことを防止可能な展示ボードを提供することを課題としている。
【課題を解決するための手段】
【００１２】
本考案の展示ボードは、
ボード本体と、
該ボード本体の表面側に剥離可能に貼着されたボードフィルムと、を備え、前記ボードフィルムの表面、又は、前記ボード本体と前記ボードフィルムの間にポスター、カタログ等の掲示物を係止することで各種広告等を展示可能とした展示ボードであって、
前記ボードフィルムは、
ＵＶカット剤を配合しながら製造することでＵＶカット機能を備えたＵＶカットフィルムと、該ＵＶカットフィルムの表面に形成した、低反射機能を発揮可能な低反射層と、を具備したボードフィルム本体と、
該フィルム本体の表面に光触媒を含んだ光触媒コーティング材を備えることで形成された光触媒層と、を具備したことを特徴としている。
【考案の効果】
【００１３】
本考案の展示ボードでは、ボードフィルム本体とこのボードフィルム本体の表面に形成した光触媒層でボードフィルムを構成しており、ボードフィルム本体は更に、ＵＶカット機能を備えたＵＶカットフィルムの表面に低反射機能を発揮可能な低反射層を具備して構成されている。
【００１４】
そのために、本考案の展示ボードでは、低反射層の作用により、ボードフィルムに当たった光の反射が低反射になり、見る角度によって展示しているポスター、カタログ等が見えづらくなることを防止できる。
【００１５】
また、本考案の展示ボードでは、ＵＶカット機能の作用により、紫外線により展示しているポスター、カタログ等が劣化することを有効に防止することができ、更に、ボードフィルム本体の表面に形成した光触媒層の作用により、室内に浮遊する埃や有害物質等がボードフィルムに付着した場合には、このボードフィルムに付着した埃や有害物質等を分解して除去することでボードフィルムの汚れを防止することができるので、展示しているポスター、カタログ等の展示物を紫外線から守ることが可能である。
【図面の簡単な説明】
【００１６】
【図１】本考案の展示ボードの実施例の斜視図である。
【図２】図１におけるＡ−Ａ線断面構造を示した図である。
【図３】本考案の展示ボードの実施例におけるボードフィルムの構造を説明するための断面図である。
【考案を実施するための形態】
【００１７】
本考案の展示ボードでは、発泡スチロール、厚紙等により構成されるボード本体を有しており、このボード本体の表面には、ボードフィルムが、剥離可能にして貼着されており、ボードフィルムの表面あるいはボード本体とボードフィルム間にポスター、カタログ等を係止して支持可能としている。
【００１８】
そしてボードフィルムは、ボードフィルム本体と、ボードフィルム本体の表面に形成した光触媒層を具備しており、ボードフィルム本体は、ＵＶカット機能を備えたＵＶカットフィルムと、このＵＶカットフィルムの表面に形成した低反射層を具備している。
【００１９】
また、ＵＶカットフィルムは、ＵＶカット剤を配合しながら製造されたフィルムとしており、このＵＶカットフィルムの表面に凹凸処理を施すことで低反射層が形成されている。
【００２０】
更に、光触媒層は、光触媒を含んだ光触媒コーティング材をボードフィルム本体の表面に備えることで形成されている。
【実施例１】
【００２１】
本考案の展示ボードの実施例について図面を参照して説明すると、図１は、本実施例の展示ボードの斜視図であり、また図２は図１におけるＡ−Ａ線断面構造を拡大して示した図であり、図において１が本実施例の展示ボードである。
【００２２】
そして、本実施例の展示ボード１は、全体として略四角形状としたボード本体を有している。即ち、図において２がボード本体であり、本実施例において前記ボード本体２は、全体として四角形状の板状としている。
【００２３】
なお、このボード本体２としては、例えば発泡スチロール製のボードを用いるとよいが、その他、樹脂製、金属製、木製、厚紙製等の素材によりボード本体２を形成してもよい。
【００２４】
次に、図において３はボードフィルムである。即ち、本実施例において前記ボード本体２の一方の面には、その全面に亘って、接着剤等の接着手段によって、ボードフィルム３が、剥離自在に貼着されている。そしてこの構成により、ボードフィルム３の一部又は全部を剥離して、前記ボード本体２とボードフィルム３間にポスター、カタログ等の掲示物を挟み込み、その後に再び、剥離したボードフィルム３をボード本体２に貼着することで、ポスター、カタログ等の掲示物を、ボード本体２とボードフィルム３で挟持しつつ支持して、本実施例の展示ボード１に展示することを可能としている。
【００２５】
ここで、前記ボードフィルム３について説明すると、図３は前記ボードフィルム３の構造を示す断面図であり、図において４はボードフィルム本体である。即ち、本実施例において前記ボードフィルム３はボードフィルム本体４を有しており、このボードフィルム本体４は、ＵＶカットフィルム５と、このＵＶカットフィルム５の表面に形成した低反射層６を具備して構成されている。
【００２６】
そして、ＵＶカットフィルム５は、ＵＶカット剤を配合しながら製造することでＵＶカット機能を備えた樹脂製のフィルムとしている。即ち、近年、フィルム製造工程でＵＶカット材を配合して、紫外線の透過率を抑えて掲示物の紫外線劣化を少なくする効果を発揮するＵＶカットフィルムが提供されているが、本考案者は、このＵＶカットフィルムの存在に着目して、ＵＶカットフィルムをボードフィルム本体として用いている。
【００２７】
更に、本考案におけるボードフィルム本体４では、前記ＵＶカットフィルム５の表面に凹凸処理を施して、ＵＶカットフィルム５の表面に低反射層６を形成し、これによって、ＵＶカットフィルム７に低反射機能を持たせてボードフィルム本体４を形成している。
【００２８】
従って、本実施例の展示ボード１では、ＵＶカットフィルム５の作用により紫外線の透過率を抑えて掲示物の紫外線劣化を少なくすることができ、また、フィルムの表面に凹凸処理を施して、低反射機能を発揮可能な低反射層６を形成しているため、当たった光を低反射にして表面の反射を抑え、それによって光の反射によって絵画、写真等が見えづらくなることを有効に防止できる。
【００２９】
なお、ＵＶカットフィルム５の表面に凹凸処理を施した場合には、前述したように、フィルム表面の反射を抑えて展示物を見やすくする効果、即ち、ＵＶカットフィルム５が低反射になる効果があるが、その反面、透過率が悪くなり掲示物の鮮明度が落ちるという欠点がある。しかし、展示ボードにおいては、ボードフィルムと展示物が密着されるために、使用上は問題になることがない。
【００３０】
また、前記低反射層６は、必ずしもＵＶカットフィルム５の表面に凹凸処理を施すことで形成する必要は無く、低反射機能を発揮可能であればいずれの方法で形成しても良い。従って、低反射フィルムをＵＶカットフィルムに貼着することで低反射層を形成しても良い。
【００３１】
次に、図において７は光触媒層である。即ち、本実施例における展示ボード１では、前記ボードフィルム本体４の表面に光触媒層７を備えており、これによりボードフィルム３を構成している。
【００３２】
ここで、この光触媒層７について説明すると、本実施例の展示ボード１においては、光触媒としての酸化チタンを樹脂に分散させることで構成された光触媒コーティング材を、前記ボードフィルム本体４の表面に塗布することで、ボードフィルム本体４の表面に光触媒層７を形成しており、これにより、光触媒によって、ボードフィルム３に付着した埃、細菌等を分解して除去可能としている。
【００３３】
即ち、周知のように、酸化チタンに代表される光触媒は、紫外線を吸収することで強力な酸化力を帯び、接触してきた埃、細菌等を分解する作用を有するために、本実施例における展示ボード１では、ボードフィルム３の表面に付着した埃、細菌等を分解して除去することができ、展示ボードが汚れて展示しているポスター、カタログ等の見栄えが悪くなることを防止可能である。
【００３４】
なお、光触媒コーティング材には、樹脂に酸化チタンを分散させて構成されるとともに、樹脂にＵＶカット剤を配合して構成しているものもあるが、本考案における光触媒層９は、このような、酸化チタンの他にＵＶカット剤を樹脂に配合して構成した光触媒コーティング材を用いても良い。
【００３５】
また、光触媒コーティング材を構成する光触媒は、単に酸化チタンのみを用いてもよいが、その他、近年提供されている、アパタイト結晶中に酸化チタンを導入した光触媒を用いてもよく、これによれば、ボードフィルム３の表面に付着した汚れや細菌等を確実に分解除去することが可能となる。
【００３６】
また、バインダーとして用いる樹脂に関しては、特に限定されるものではないが、フッ素系樹脂を用いてもよく、これによれば、ボードフィルム３の表面を親水性にして汚れ等をより効果的に分解除去することが可能となる。
【００３７】
このように、本実施例の展示ボードでは、ＵＶカット機能を備えたＵＶカットフィルム５の表面に凹凸処理を施すことで低反射機能を発揮可能な低反射層６を形成することでボードフィルム本体４を構成し、更に、このボードフィルム本体４の表面に光触媒を含んだ光触媒コーティング材を備えて光触媒層７を形成することでボードフィルム３を構成しているので、低反射層６の作用によりボードフィルム３に当たった光の反射が低反射になるために、光の反射によって展示しているポスター、カタログ等が見えづらくなることを防止できるとともに、ＵＶカットフィルム５のＵＶカット機能により、展示しているポスター、カタログ等が紫外線によって劣化することを有効に防止することができる。
【００３８】
また、本実施例の展示ボードでは、ボードフィルム本体４の表面に形成した光触媒層７の作用により、室内に浮遊する埃や有害物質等がボードフィルム３に付着した場合に、このボードフィルム３に付着した埃や有害物質等を分解して除去することでボードフィルム３の汚れを防止することができる。
【００３９】
従って、本実施例の展示ボードでは、光の反射により展示しているポスター、カタログ等が見えづらくなることを防止可能であるとともに、汚れ等や紫外線による劣化で展示ボードの見栄えが悪くなってしまうことを防止することができる。
【産業上の利用可能性】
【００４０】
本考案の展示ボードは、展示しているポスター、カタログ等が光の反射で見えづらくなることを防止するとともに、ボードフィルムに付着した汚れや細菌等を除去し、更に、展示しているポスター、カタログ等を紫外線から守ることで展示ボードの見栄えが悪くなることを防止可能にしているために、各種のポスター、カタログ等を係止可能としたボード全般に適用可能である。
【符号の説明】
【００４１】
１    展示ボード
２    ボード本体
３    ボードフィルム
４    ボードフィルム本体
５    ＵＶカットフィルム
６    低反射層
７    光触媒層
【図１】
0003181844.tif 000003
【図２】
0003181844.tif 000004
【図３】
0003181844.tif 000005